(57)【要約】【課題】  設置場所を限定されることなく、省スペースで機能的に使用することができる収納棚を提供する。【解決手段】  水平部２１と垂直部２２とからなる正面視Ｌ字状の本棚本体２を具備し、水平部２１上には、凸設片３０が凹設部３１に重ね合わされて面一な平滑面を構成するた収納状態と、凹設部３１と凸設片３０とが連続する略Ｓ字状の曲線を描く使用状態とにできる着座部３が設けられ、水平部２１側に面した垂直部２２側面には、凸設片４０が凹設部４１に重ね合わされて面一な平滑面を構成する収納状態と、凹設部４１と凸設片４０とが連続する略Ｓ字状の曲線を描く使用状態とにできる背もたれ部４が設けられ、使用状態で、着座部３上に脚を投げ出して背もたれ部４を背もたれにして座ることができるようになされた本棚１である。【選択図】  図３
2005204863.tif 000002
【特許請求の範囲】
【請求項１】
水平部と垂直部とからなる正面視Ｌ字状に形成された収納棚本体を具備し、
水平部上には、垂直部側に近い部分が円弧状に凹設された凹設部と、この凹設部に合致する形状の凸設片とからなる着座部が設けられ、
凸設片が凹設部に重ね合わされることで着座部表面が面一な平滑面を構成する収納状態とすることができ、凸設片が垂直部側から遠い部分に設けられることで着座部表面に凹設部と凸設片とが連続する略Ｓ字状の曲線を描く使用状態とすることができるようになされ、
水平部側に面した垂直部側面には、水平部側から遠い部分が円弧状に凹設された凹設部と、この凹設部に合致する形状の凸設片とからなる背もたれ部が設けられ、
凸設片が凹設部に重ね合わされることで背もたれ部表面が面一な平滑面を構成する収納状態とすることができ、凸設片が水平部側から近い部分に設けられることで背もたれ部表面に凹設部と凸設片とが連続する略Ｓ字状の曲線を描く使用状態とすることができるようになされ、
使用状態で、着座部上に脚を投げ出した状態で背もたれ部を背もたれにして座ることができるようになされたことを特徴とする収納棚。
【請求項２】
背もたれ部の凹設部の上方位置に、使用状態で座った人の読書灯となり、収納状態で凸設片が重ね合わされても干渉しないようになされたライトが内蔵されてなる請求項１記載の収納棚。
【請求項３】
使用状態で人が座った際の肘の位置近傍に延設するようになされたテーブルが垂直部に設けられてなる請求項１または２記載の収納棚。
【発明の詳細な説明】
【技術分野】
【０００１】
本発明は、住宅建物内に設置される収納棚に関するものである。
【背景技術】
【０００２】
従来より、住宅建物内に設置されて使用される省スペースの家具としては、収納可能なベット、ベット兼用のソファ、折り畳み可能なテーブル、サイドテーブル付きの折り畳み椅子などが知られている。
【０００３】
また、寝たり、着座したりすることができる多機能の家具としては、車椅子を使用する障害者がくつろぐマットを備えた多機能家具が提案されている。
【特許文献１】特開２０００−３２５４０７号公報
【発明の開示】
【発明が解決しようとする課題】
【０００４】
しかし、上記従来の収納可能なベット、折り畳み可能なテーブル、サイドテーブル付きの折り畳み椅子などは、設置場所にとらわれず持ち運んで移動させることができるが、その反面、単機能である。これらとは異なり、ベット兼用のソファは、寝る、座るといった二つの機能を満たすことができるが、気軽に持ち運ぶことができない。また、ベットとしての機能があるのでリビングなどに設置することには向かず、設置場所が限定されてしまう。
【０００５】
また、障害者用の多機能家具の場合、障害者用ということもあって広い設置場所が必要となる。また、障害者にとっての多機能を実現しているだけであって、設置場所を取る割には得られる機能性が、健常者にとって機能的なものにはならない。
【０００６】
本発明は係る実情に鑑みてなされたものであって、設置場所を限定されることなく、省スペースで機能的に使用することができる収納棚を提供することを目的としている。
【課題を解決するための手段】
【０００７】
上記課題を解決するための本発明の収納棚は、水平部と垂直部とからなる正面視Ｌ字状に形成された収納棚本体を具備し、水平部上には、垂直部側に近い部分が円弧状に凹設された凹設部と、この凹設部に合致する形状の凸設片とからなる着座部が設けられ、凸設片が凹設部に重ね合わされることで着座部表面が面一な平滑面を構成する収納状態とすることができ、凸設片が垂直部側から遠い部分に設けられることで着座部表面に凹設部と凸設片とが連続する略Ｓ字状の曲線を描く使用状態とすることができるようになされ、水平部側に面した垂直部側面には、水平部側から遠い部分が円弧状に凹設された凹設部と、この凹設部に合致する形状の凸設片とからなる背もたれ部が設けられ、凸設片が凹設部に重ね合わされることで背もたれ部表面が面一な平滑面を構成する収納状態とすることができ、凸設片が水平部側から近い部分に設けられることで背もたれ部表面に凹設部と凸設片とが連続する略Ｓ字状の曲線を描く使用状態とすることができるようになされ、使用状態で、着座部上に脚を投げ出した状態で背もたれ部を背もたれにして座ることができるようになされたものである。
【０００８】
また、上記収納棚において、背もたれ部の凹設部の上方位置に、使用状態で座った人の読書灯となり、収納状態で凸設片が重ね合わされても干渉しないようになされたライトが内蔵されてなるものである。
【０００９】
さらに、上記収納棚において、使用状態で人が座った際の肘の位置近傍に延設するようになされたテーブルが垂直部に設けられてなるものである。
【発明の効果】
【００１０】
以上述べたように、本発明によれば、収納状態では収納棚ではあるが、使用状態ではソファの機能を付加することができ、多機能な家具として有効利用することができる。また、ソファの機能を有しているものの、収納状態では、通常の収納棚と変わり無く、かつ、通常の収納棚並の省スペースなので、場所を限定されることなく設置することができる。
【００１１】
また、使用状態で人が座った際の肘の位置近傍に延設するようになされたテーブルを垂直部に設けることにより、ホームバーとしての機能を付加させて一層多機能な家具とすることができる。この場合、収納棚は、ソファとして使用しながらホームバーを楽しむこともできるし、ソファとして使用していなくても、単にホームバーとして楽しむこともできる。
【発明を実施するための最良の形態】
【００１２】
以下、本発明の実施の形態を図面を参照して説明する。
【００１３】
図１ないし図３は本棚１の全体構成の概略を示している。
【００１４】
すなわち、この本棚１は、水平部２１と垂直部２２とからなる正面視Ｌ字状に形成された本棚本体２を具備し、水平部２１上に着座部３が形成され、水平部２１側に面した垂直部２２の側面に背もたれ部４が形成されている。
【００１５】
本棚本体２は、高さ約５０ｃｍ、奥行き約４５ｃｍ、幅約１００ｃｍに形成された水平部２１と、高さ１８０ｃｍ、奥行き約４５ｃｍ、幅約４０ｃｍに形成された垂直部２２とからなり、水平部２１の一側面と垂直部２２の一側面とを接合して正面視Ｌ字状となるように形成されている。この本棚本体２は、通常の本棚１と同様に木製、樹脂製、鋼板製のものなどを用いることができる。ただし、人６が座ることがてきるだけの充分な耐荷重強度を確保することができるように形成される。
【００１６】
水平部２１は、底板２１ａ、側板２１ｂ、２１ｂ、天板２１ｃによって形成された枠体の幅方向の中央の位置に、縦桟２１ｄが設けられて左右に分割されている。また、高さ方向の所望の位置に棚板２１ｅを設けることができるようになされて本棚を形成するようになされている。
【００１７】
垂直部２２は、上から順に、約６０ｃｍの高さの扉付収納庫２２ａ、その下が約３５ｃｍの高さのカウンター２２ｂ、その下約５ｃｍがサイドテーブル２３の収納スペース２２ｃ、その下が約８０ｃｍの高さの扉付収納庫２２ｄとなされている。サイドテーブル２３は、収納スペース２２ｃに内装されたレール（図示省略）に沿って引き出すことがでるようになされており、引き出した後、水平部２１側の側辺にヒンジ接続されて折り畳まれた折り畳み片２３ａを拡げて使用される。上段の扉付収納庫２２ａは、その下段よりも幅が約１０ｃｍ狭い約３０ｃｍとなされ、垂直部２２の水平部２１に近い側の側面に段部２４が形成されている。
【００１８】
着座部３は、水平部２１の天板２１ｃの上に設けるようになされており、硬質ウレタンフォームなどによって、高さ約１０ｃｍ、奥行き約４５ｃｍ、幅約１００ｃｍの大きさに形成されている。この着座部３のうち、垂直部２２側に近い略半部は、幅方向に沿った円弧状に凹設されて凹設部３１を形成するようになされており、垂直部２２側から遠い残りの略半部の平面３２上には、凹設部３１を凹設する際に切り取った体積に相当する凸設片３０を載せることによって円弧状に凸設された凸設部３０ａを形成するようになされている。凸設片３０は、凹設部３１と平面３２との境界部分に回動可能に設けられており、平面３２上に設けた使用状態と凹設部３１上に重ね合わせた収納状態とにすることができるようになされている。着座部３は、使用状態で、凹設部３１と凸設片３０とが連続する略Ｓ字状の曲線を描くようになされ、収納状態で、上面全体が平滑になるようになされている。凹設部３１と凸設片３０とは、重ね合わせた収納状態で嵌合するようにしておいてもよい。
【００１９】
背もたれ部４は、垂直部２２の段部２４に納まるようになされており、硬質ウレタンフォームなどによって、高さ約６０ｃｍ、奥行き約４５ｃｍ、幅約１０ｃｍの大きさに形成されている。この背もたれ部４は、高さ方向に沿った円弧状に凹設された凹設部４１と、この凹設部４１を凹設する際に切り取った体積に相当する凸設片４０とに分割することができるようになされており、凸設片４０を、垂直部２２の段部２４の下の側面２５に設けることによって、この側面２５に、円弧状に凸設された凸設部４０ａを形成するようになされている。凸設片４０は、凹設部４１と側面２５との境界部分に回動可能に設けられており、側面２５に設けた使用状態と凹設部４１に重ね合わせた収納状態とにすることができるようになされている。背もたれ部４は、使用状態で、凹設部４１と凸設片４０とが連続する略Ｓ字状の曲線を描くようになされ、収納状態で、段部２４に納まって垂直部２２の側面２５と面一となる。凹設部４１と凸設片４０とは、重ね合わせた収納状態で凸設片４０が脱落しないように嵌合するようにしておくことが好ましい。
【００２０】
また、背もたれ部４は、凹設部４１の上方の位置にスリット状の孔４２が形成されており、その内部にライト５を設けるようになされている。このライト５は、背もたれ部４を背もたれにして着座部３に脚を投げ出した状態で人６が座った状態で読書灯として機能するようにその照射角度や取付位置が決めれられている。また、スリット状の孔４２の内側にライト５を設けているので、凹設部４１に凸設片４０を重ね合わせた収納状態においても、凸設片４０と干渉しないようになされている。このライト５は、別途に設けられたスイッチ（図示省略）によって点灯および消灯するようにしたものであってもよいし、凹設部４１に凸設片４０を重ね合わせることによって消灯し、凹設部４１に重ね合わされた凸設片４０を離脱させることで点灯するようにしたものであってもよい。
【００２１】
このようにして構成される本棚１は、住宅内において、通常の本棚１を設置するような位置であれば、リビング、寝室、書斎など、どのような箇所にでも設置することができる。また、設置する際には、背面側が壁際に接するようにして設置してもよいし、正面側背面側ともに空間が形成されるように壁際から離して設置してもよい。
【００２２】
この本棚１は、収納状態においては、通常の本棚１と何ら変わりなく設置しておくことができる。また、使用状態においては、背もたれ部４を背もたれにして着座部３に脚を伸ばした状態で座ることができ、ソファとしての機能を得ることができる。したがって、本棚１に設けられた本を読書するために別途にソファを置く空間を確保する必要がなくなり、空間利用の効率化を図ることができることとなる。
【００２３】
また、ソファとして機能させた場合、サイドテーブル２３を出しておけば、飲み物などを置く台として使用することができる。この場合、上段の扉付収納庫２２ａや下段の扉付収納庫２２ｄに酒類やおつまみなどを収納しておけば、カウンター２２ｂでドリンクを作ったりして垂直部２２全体をホームバーとして機能させることができる。この場合、上段の扉付収納庫２２ａおよび下段の扉付収納庫２２ｄの何れか一方は、冷蔵庫を構成するようになされたものとしてより機能的にしてもよい。
【００２４】
なお、使用状態において本棚１に人６が座った場合、人６の右側にサイドテーブル２３が出るようになされているが、この本棚１を壁際から離して設置するような場合には、座った人６の左側からもサイドテーブル２３が出せるようにしたものであってもよい。
【００２５】
また、本実施の形態において、本棚１は、水平部２１が本棚となされ、垂直部２２は、ホームバーを構成するようになされているが、水平部２１と垂直部２２とは物を収納することができるように構成されたものであれば、特にその組み合わせや収納物などは限定されるものではなく、水平部２１がホームバー、垂直部２２が本棚となされたものであってもよいし、水平部２１と垂直部２２とが共に本棚となされたものであってもよいし、水平部２１と垂直部２２とが共に酒類を収納するホームバーとして構成されたものであってもよいし、水平部２１や垂直部２２が他の生活用品の収納や装飾品の飾り棚となされたものであってもよい。
【００２６】
さらに、本実施の形態において、着座部３および背もたれ部４は、硬質ポリウレタンフォームによって形成されているが、本棚本体２と同様の材質となされたものであってもよい。硬質ポリウレタンフォームの表面に化粧シートや皮革を被覆したり、複数の素材を複合して構成したりしたものであってもよい。
【産業上の利用可能性】
【００２７】
住宅内において、収納以外にソファとしても機能する機能性に優れた多機能家具として利用できる。
【図面の簡単な説明】
【００２８】
【図１】本発明に係る収納棚の収納状態における全体構成の概略を示す斜視図である。
【図２】本発明に係る収納棚の収納状態から使用状態への移行状態を示す斜視図である。
【図３】本発明に係る収納棚の使用状態における全体構成の概略を示す斜視図である。
【符号の説明】
【００２９】
１  本棚（収納棚）
２  本棚本体（収納棚本体）
２１  水平部
２２  垂直部
２３  サイドテーブル
３  着座部
３１  凹設部
３０  凸設片
４  背もたれ部
４１  凹設部
４０  凸設片
５  ライト
６  人
【図１】
2005204863.tif 000003
【図２】
2005204863.tif 000004
【図３】
2005204863.tif 000005